(57)【要約】      （修正有）【課題】第一、第二の物品を各物品の互いに重ね合わせた部片において組付けボルト等の締付けを必要としない、組付けが容易な組付け金具を提供する。【解決手段】挟持枠１は、互いに重ね合わせた各物品の部片１００，１０１を挟持する、弯曲中央部３の両側に相対設した一対の挟持片４，５を備え、一方の挟持片４には一方の部片に設けた透孔１１８に係止する係止片８を、また、他方の挟持片５には他方の部片１０１に設けた透孔１１９に係止する係止片９をそれぞれ設ける。保持枠２は、中央片と中央片の両側に相対設した一対の側片１１を備えた、ほぼコの字形枠体を備え、中央片を上下に二分するスリット１２を設け、スリットに中央弯曲部から挿通させる、挟持枠１の各挟持片の両端とは挟持片４，５間において離開する方向に延びる規制片６，７を相対設し、規制片に強制的に係止する突片１４を保持枠の中央片と側片とがなす隅角部に突設する構成とする。【選択図】図３
2013194415.tif 000002
【特許請求の範囲】
【請求項１】
第一、第二の物品を各物品の互いに重ね合わせた部片において組付ける物品組付け金具であって、鋼板など弾性金属板を屈曲して成る挟持枠と保持枠で構成し、挟持枠は、互いに重ね合わせた前記部片を挟持する、弯曲中央部の両側に相対設した一対の挟持片を備え、該一方の挟持片には前記一方の部片に設けた透孔に係止する突部を、また、他方の挟持片には前記他方の部片に設けた透孔に係止する突部をそれぞれ設けると共に、前記保持枠は、中央片と該中央片の両側に相対設した一対の側片を備えた、ほぼコの字形枠体を備え、前記中央片には、両端が前記側片に至り、しかも、前記中央片を上下に二分するスリットを設け、該スリットに前記中央弯曲部から挿通させる、前記挟持枠の各挟持片の両端とは挟持片間において離開する方向に延びる規制片を相対設し、該規制片に強制的に係止する突片を前記保持枠の前記中央片と側片とがなす隅角部に突設した、物品組付け金具。
【請求項２】
第一物品が太陽電池モジュールとフレームとで成る太陽電池パネルで、該太陽電池パネルのフレームで第一物品側の部片を構成すると共に、第二物品が架台で、該架台で前記第二物品側の部片を構成した、請求項１記載の物品組付け金具。
【発明の詳細な説明】
【技術分野】
【０００１】
本発明は、第一物品を、該第一物品に備えた断面Ｌ形片の先端部片を第二物品に備えた断面Ｌ形片の先端部片に重ね合わせて固着するために用いる固定金具に関するもので、概して、太陽電池モジュールとフレームとで成る太陽電池パネルを架台に固定する際に用いる。
【背景技術】
【０００２】
例えば、太陽電池パネルを、屋根上に設置した架台に固定するには、太陽電池パネルのフレームに備えた断面Ｌ形片の、平板状の先端（自由端）部片を、架台側に設けた断面Ｌ形片の、平板状の先端（自由端）部片に重ね合わせ、該先端部片の長手方向の適所において貫通させたボルトにナットを螺合、締付けるようにした構造のものが用いられている（例えば、特許文献１）。
【先行技術文献】
【特許文献】
【０００３】
【特許文献１】実開昭６２−１０４４６４号公報
【発明の概要】
【発明が解決しようとする課題】
【０００４】
前記従来構造のものは、太陽電池パネル側と架台側のそれぞれに設けたボルト孔を利用してボルトとナットによって締付ける、という簡単な構造のために利用のし易さはあるが、断面Ｌ形片の先端部片という幅の狭い個所でのナット乃至ボルトの締付け作業を行わなければならないため、その締付け作業が煩雑であり、しかも、締付けが緩かったり、締め忘れをしたり、等々の問題点がある。
【０００５】
本発明は、斯様な従来例の欠点に着目し、ボルト等の締付け作業を必要としない固定金具を提供することを目的として創案したものである。
【課題を解決するための手段】
【０００６】
第一、第二の物品を各物品の互いに重ね合わせた部片において組付ける物品組付け金具であって、鋼板など弾性金属板を屈曲して成る挟持枠と保持枠で構成し、挟持枠は、互いに重ね合わせた前記部片を挟持する、弯曲中央部の両側に相対設した一対の挟持片を備え、該一方の挟持片には前記一方の部片に設けた透孔に係止する突部を、また、他方の挟持片には前記他方の部片に設けた透孔に係止する突部をそれぞれ設けると共に、前記保持枠は、中央片と該中央片の両側に相対設した一対の側片を備えた、ほぼコの字形枠体を備え、前記中央片には、両端が前記側片に至り、しかも、前記中央片を上下に二分するスリットを設け、該スリットに前記中央弯曲部から挿通させる、前記挟持枠の各挟持片の両端とは挟持片間において離開する方向に延びる規制片を相対設し、該規制片に強制的に係止する突片を前記保持枠の前記中央片と側片とがなす隅角部に突設したことを基本的手段とする。
【０００７】
なお、第一物品が太陽電池モジュールとフレームとで成る太陽電池パネルで、該太陽電池パネルのフレームで第一物品側の部片を構成すると共に、第二物品が架台で、該架台で前記第二物品側の部片を構成することにより太陽電池パネルを、例えば、建屋の屋根上に設置した架台に容易に組付けられることができ、挟持枠に対し保持枠を摺嵌するだけで組付け作業を行えるから、高所作業の作業性上、好適である。
【発明の効果】
【０００８】
本発明によれば、ボルト等の締付け作業を必要とせず、挟持枠に対し保持枠を摺嵌するだけで組付けられ、しかも、組付け状態を確実に保つことのできる物品組付け金具を提供できる。
【図面の簡単な説明】
【０００９】
【図１】本発明に係る物品組付け金具を用いて太陽電池パネルを架台に取付けた状態の一部欠截略示平面図を示す。
【図２】図１の一部欠截拡大図を示す。
【図３】図２のｘ−ｘ線断面図を示す。
【図４】架台に太陽電池パネルを固定する過程を示し、ａ）は固定前の状態の分解斜視図、ｂ）は挟持枠によって太陽電池パネルを架台に仮止めした状態を示す斜視図、ｃ）は太陽電池パネルを架台に固定した状態の斜視図をそれぞれ示す。
【図５】挟持枠を示し、ａ）は正面図、ｂ）は側面図、ｃ）は平面図、ｄ）は底面図、ｅ）は背面図である。
【図６】保持枠を示し、ａ）は正面図、ｂ）は側面図、ｃ）は平面図、ｄ）は背面図をそれぞれ示す。
【発明を実施するための形態】
【００１０】
図面は本発明に係る固定金具の一実施形態を示し、実施形態の固定金具Ａは、太陽電池モジュールＳ１とフレームＳ２とで成る太陽電池パネルＳＰを架台Ｂに固定する際に用いるものであるが、適用範囲は、太陽電池パネルＳＰの固定に限定する必要はない。互いに重ね合わせる部片を備え、該部片の自由端側から挟持枠１と保持枠２を摺嵌させて組付けるようにして、第一物品に対して第二物品を組付け、固定する構造のものであれば、本固定金具は適用できる。
【００１１】
実施形態の固定金具Ａは、互いに組合わせて用いる挟持枠１と保持枠２とで成り、挟持枠１は、弾性鋼板を屈曲形成して成るもので、中央の弯曲部３を後部としたときに、該中央の弯曲部３を介して後端から先端方向に延びる、一対の挟持片４，５を相対設した、全体としてややコ形状の枠体で形状を備え、自由端側の先端部４ａ，５ａを拡開形状にした該挟持片４，５の横幅方向の両端の前記弯曲部３側の先端側には前記保持枠２の係止部１４（後記する）を重ねるに充分な空間を残して、該挟持片４，５の表面に対して起立する方向にし、しかも、挟持片４，５間において互いに離開する方向にして突設した、折り曲げ状の規制片６，６．７，７を備えると共に、挟持片４，５の面内部には、前記先端部４ａ，５ａ側を連設基部として、挟持片４，５を裏面（前記表面に対応する）側に切り起こし状にした舌状片で成る第一、第二の係止片８，９（係止片に代えてリブ状の突縁で構成しても良く、要は、透孔１１８や１１９に係合してその縁部に接して挟持枠１などの動きを規制する突部であれば良い）を設け、第一係止片８は前記一方の挟持片４の前記面内のほぼ中央に、並べて第二係止片９，９は他方の前記挟持片５に前記第一係止片８を介在させるようにしてそれぞれ設けたものである。
【００１２】
挟持枠１と組合わせて固定金具Ａを構成する前記保持枠２は、挟持枠１と同様に弾性鋼板をプレス成形したもので、中央部片１０と該中央部片１０の両側に相対して連設して後方に延ばした一対の側部片１１，１１を備え、中央部片１０と側部片１１の連設部には直角三角形状にして側部片１１表面より突出させて係止部１４を設けたほぼコ形状枠体で成り、中央部に断面三角状の補強凹入部１０ａを設けた前記中央部片１０と側部片１１にかけて、側部片１１の自由端（側部片１１の中央部片１０との連設部を基部とした）側を残すようにして中央部片１０を上下に二分するスリット１２を設け、該スリット１２に前記挟持枠１を前記中央の弯曲部３側から係合できるようにしてある。
【００１３】
なお、前記の係止部１４は、中央部片１０と側部片１１との間に介在し、中央部片１０の端縁から、該中央部片１０の表面から裏面方向に、しかも、前記側部片１１から離れる方向に突出する傾斜状の案内縁部１４ａと前記側部片１１の端縁から該側部片１１表面から直角方向に突出する係止縁部１４ｂとで成る断面直角形状を成している。
【００１４】
そして、実施形態の固定金具Ａは、例えば、太陽電池モジュールＳ１とフレームＳ２とで成る太陽電池パネルＳＰを、屋根上や地上など適宜の位置に設置した架台Ｂに固定する際に用いる。
【００１５】
太陽電池パネルＳＰのフレームＳ２の縦枠Ｓ２ａの内縁にはフレームＳ２内方向に突出する部片１００を備え、この部片１００の適所に挟持枠１の前記第一挟持片４に設けた前記第一係止片８が係合する透孔１１８を設ける一方、上、下面開口の枠体で成る前記架台Ｂの縦枠Ｂａの内縁には架台Ｂ内方向に突出する受部片１０１を備え、この受部片１０１の適所に挟持枠１の前記第二挟持片５に設けた前記第二係止片９が係合させる一対の透孔１１９と前記透孔１１８を通じて前記第一係止片８が係合する透孔１１８´を設けて、架台Ｂを「請求項１」でいう第一物品、太陽電池パネルＳＰを「請求項１」でいう第二物品として適用する。すなわち、架台Ｂの受部片１０１上に、該受部片１０１に部片１００を当接するようにして太陽電池パネルＳＰを載置すると、受部片１０１側の透孔１１９と部片１００側の透孔１１８は第一係止片８と第二係止片９との位置関係にして配され、太陽電池パネルＳＰは架台Ｂに載置される。
【００１６】
この状態で、第一、第二の挟持片４，５間に部片１００と受部片１０１を嵌め込むようにすると、各挟持片４，５は弾性変形して拡開して挟持枠１は部片１００，受部片１０１に組付けられ、係止片８は透孔１１８，１１８´に、係止片９は透孔１１９に弾性変形して係合され、透孔１１８，１１９に対する係止片８，９の係止関係により特別な外力が負荷されない限り、図４（ｂ）で示すように、該結合状態が維持される。
【００１７】
そして、部片１００，１０１を挟持した挟持枠１の外側に、挟持枠１の中央弯曲部３をスリット１２に相対的に嵌め込むように保持枠２を嵌め込むと、保持枠２の、中央部片１０と側部片１１の連設部に設けた係止部１４が、挟持枠１側の規制片６，７に接して係止部１４の案内縁部１４ａに接触して押圧されつつ中央部片１０の両側の係止部１４，１４間は縮径されて規制片６，７を強制的に通過し、通過した時点で弾性変形して原状に戻り、係止部１４の係止縁部１４ｂが規制片６，７の先端に接する状態となり、かつ、挟持枠１の拡開が規制され、挟持片４，５による重ね合わせた状態の部片１００と受部片１０１の挟持状態は維持される。
【００１８】
なお、部片１００，１０１を挟持した挟持枠１の外側に、挟持枠１の中央弯曲部３をスリット１２に相対的に嵌め込むようにして保持枠２の側部片１１，１１を指先で挟み、一方の係止部１４を係止縁部１４ｂにおいて一方の規制片６，７に引掛け、該引掛けた部分を中心にして保持枠２を回転させながら、他方の係止部１４を係止縁部１４ｂに引掛けるようにして指先から開放させるようにして挟持枠１に保持枠２を組付けても良い。
【００１９】
また、実施形態の太陽電池パネルＳＰの架台Ｂに対する取付け、図１に示すように複数個の固定金具Ａを用いているが、互いに組付ける物品の大きさ、状況によって実施形態のように多数用いる必要はない。
【符号の説明】
【００２０】
１      挟持枠
２      保持枠
３      弯曲中央部
４，５  挟持片
６，７  規制片
８，９  係止片
１０    中央片
１１    側片
１２    スリット
１４    突片
１００，１０１  部片
１１８，１１９  透孔
【図１】
2013194415.tif 000003
【図２】
2013194415.tif 000004
【図３】
2013194415.tif 000005
【図４】
2013194415.tif 000006
【図５】
2013194415.tif 000007
【図６】
2013194415.tif 000008